(57)【要約】【課題】装置使用者に応じた操作が可能な、実際の使用に極めて便利な血液透析装置用表示・設定システムを提供する。【解決手段】血液透析装置において表示が要求される情報または／および設定が要求される条件を表示・設定可能な画面を有し、該画面上に表示すべき情報または／および条件を、システム使用者ごとに選択的に設定することが可能に構成されていることを特徴とする血液透析装置用表示・設定システム。【選択図】  図４
2004313370.tif 000002
【特許請求の範囲】
【請求項１】
血液透析装置において表示が要求される情報または／および設定が要求される条件を表示・設定可能な画面を有し、該画面上に表示すべき情報または／および条件を、システム使用者ごとに選択的に設定することが可能に構成されていることを特徴とする血液透析装置用表示・設定システム。
【請求項２】
画面上に表示すべき情報または／および条件が各フォルダに収納されており、画面上に表示すべきフォルダを、システム使用者ごとに、画面上にアイコン設定可能となっている、請求項１の血液透析装置用表示・設定システム。
【請求項３】
画面上に表示すべき情報または／および条件が各フォルダに収納されており、各フォルダにおける情報または／および条件がシステム使用者ごとに設定可能となっている、請求項１または２の血液透析装置用表示・設定システム。
【請求項４】
画面上に表示されたフォルダの表示内容から、その表示内容の中の特定の項目へのショートカット表示が可能に構成されている、請求項２または３の血液透析装置用表示・設定システム。
【請求項５】
システム使用者ごとのパスワード入力により、設定変更が可能に構成されている、請求項１〜４のいずれかに記載の血液透析装置用表示・設定システム。
【請求項６】
画面が、血液透析に関して実質的に常時表示を要求される情報を表示するメイン情報エリアと、必要に応じて表示が要求されるサブ情報エリアとを有し、該サブ情報エリアが、前記システム使用者ごとに選択的に設定することが可能なエリアに設定されている、請求項１〜５のいずれかに記載の血液透析装置用表示・設定システム。
【請求項７】
サブ情報エリアは、画面上に表示される際、拡大表示可能に構成されている、請求項６の血液透析装置用表示・設定システム。
【請求項８】
画面がタッチパネルに構成されている、請求項１〜７のいずれかに記載の血液透析装置用表示・設定システム。
【請求項９】
血液透析装置が、血液流路と透析液流路との間に透析膜を有する血液透析要素と、実質的に閉回路からなり、前記血液透析要素の透析液流路に連通する透析液循環路と、該透析液循環路の前記透析液流路への透析液往路に接続された透析液供給室と透析液循環路の前記透析液流路からの透析液復路に接続された透析液受入室とを有する、透析液循環路に設けられた切替弁を介して交互に透析のために切り替え使用が可能な少なくとも２つの透析液供給・受入要素と、前記透析液循環路に設けられた循環ポンプと、各透析液供給・受入要素の各透析液供給室に接続され、切替弁を介して各透析液供給・受入要素の各透析液供給室に交互に未使用透析液を供給する透析液供給経路と、各透析液供給・受入要素の各透析液受入室に接続され、切替弁を介して各透析液供給・受入要素の各透析液受入室から交互に使用済透析液を排出する使用済透析液排出経路と、前記透析液循環路の前記透析液復路に接続され、該透析液復路から除水可能な除水ポンプを備えた除水経路とを有する血液透析装置からなる、請求項１〜８のいずれかに記載の血液透析装置用表示・設定システム。
【発明の詳細な説明】
【０００１】
【発明の属する技術分野】
本発明は、血液透析装置用表示・設定システムに関し、とくに、血液透析のための各工程における状態を、システム使用者の都合に合わせて適切に監視、設定できるようにするための表示・設定システムに関する。
【０００２】
【従来の技術】
血液透析装置は、既に知られ、広く実用化されており、その代表的なものとして、たとえば図９に示すような本出願人により製造、販売されている装置が知られている。図９に示す血液透析装置１において、２は血液流路２ａと透析液流路２ｂとの間に透析膜２ｃを有し、両流路２ａ、２ｂ間で血液透析を行う血液透析要素（ダイアライザとも呼ばれる）を示している。血液流路２ａには、患者の動脈６からの血液が血液回路７中に設けられた定量ポンプからなる血液ポンプ８を介して供給され、透析済の血液が静脈９に戻される。
【０００３】
血液回路７には，シリンジポンプ３により血液の凝固作用を防ぐために、必要に応じてヘリパン等の抗凝固剤を微量注入可能となっている。また、血液透析要素２の前後には、動脈側の圧力を検知する動脈圧センサー４ａと静脈側の圧力を検知する静脈圧センサー４ｂが設けられている。とくに、静脈圧センサー４ｂは、患者の突刺部の異常や送血回路部の異常等を検知可能な監視計として機能する。さらに、この静脈側の血液回路７には，気泡検知器５ａが設けられており、体内への空気の誤入を防止するための監視計として機能し、気泡検知時には血液ポンプ８が停止されるとともに、クランプ５ｂを閉じることにより、気泡の体内への流入が瞬時に阻止できるようになっている。
【０００４】
上記血液透析要素２の透析液流路２ｂには、実質的に閉回路からなる透析液循環路１０が接続され、連通されている。透析液循環路１０に設けられた循環ポンプ１１により、透析液循環路１０の透析液往路１０ａから透析前の透析液が透析液流路２ｂに供給され、透析済の透析液が透析液復路１０ｂにより戻される。この透析液循環路１０は、上述の如く実質的に閉回路に構成されているが、この閉回路から後述の除水ポンプにより定量的に少量の透析液が排出されるので、それに見合う少量の水分が血液中から透析膜２ｃを通して患者の血液中から透析液循環路１０中に抜き取られることになる。
【０００５】
透析液循環路１０の往路１０ａには、透析液供給・受入要素１２ａの透析液供給室１３ａが接続され、ここから往路１０ａに透析前の透析液が供給される。透析液循環路１０の復路１０ｂには、透析液供給・受入要素１２ａの透析液受入室１４ａが接続され、透析済の透析液がここに戻される。透析液供給室１３ａと透析液受入室１４ａとは弾性膜１５ａによって隔離されており、透析液供給により透析液供給室１３ａが縮小した分、透析液受入室１４ａが膨張できるようになっている。
【０００６】
上記透析液供給・受入要素１２ａに加え、もう一つの透析液供給・受入要素１２ｂが設けられており、該透析液供給・受入要素１２ｂも同一の構成を有し、透析液供給室１３ｂ、透析液受入室１４ｂ、弾性膜１５ｂを有している。
【０００７】
透析液循環路１０の透析液供給・受入要素１２ａ、１２ｂの入出口には、往路１０ａ側に開閉弁（二方弁）からなる切替弁１６ａ、１６ｂが、復路１０ｂ側に開閉弁（二方弁）からなる切替弁１７ａ、１７ｂが、それぞれ設けられており、これら切替弁による切り替えにより、透析のために各透析液供給・受入要素を交互に切り替え使用できるようになっている。
【０００８】
切り替え使用される透析液供給・受入要素１２ａ、１２ｂのうちいずれか一方は透析のために使用されて透析液循環路１０と連通されるが、他方は、透析液循環路１０と遮断され、その間に新しい未使用の透析液が供給されるとともに使用済みの透析液が排出される。
【０００９】
新しい未使用の透析液の供給は、透析休止中の透析液供給・受入要素の透析液供給室に対し、切替弁１８ａ、１８ｂを備えた透析液供給経路１９を通して行われ、使用済みの透析液の排出は、透析休止中の透析液供給・受入要素の透析液受入室に対し、切替弁２０ａ、２０ｂを備えた使用済透析液排出経路２１を通して行われる。
【００１０】
透析液循環路１０の復路１０ｂには、除水経路２２が接続されており、除水経路２２に設けられた定量ポンプからなる除水ポンプ２３により、定量的に少量の透析液が排出される。透析液循環路１０は実質的に閉回路からなっているので、排出された透析液に見合う少量の水分が血液中から透析膜２ｃを通して患者の血液中から透析液循環路１０中に抜き取られることになり、抜き取られた水分と同量の、該水分を含有する透析液が除水経路２２を介して排出されることになる。この除水経路２２は、上述の使用済透析液排出経路２１へと合流されており、抜き取られた水分を含有する透析液が適当な場所へと排出されるようになっている。
【００１１】
透析液循環路１０の血液透析要素２の入出口には開閉弁２４、２５が設けられており、血液透析要素２の交換や洗浄の際に入出口を遮断できるようになっている。透析液循環路１０の往路１０ａには、透析液の流量を調整する流量調整弁２６、流量を検知する流量計２７、透析液の濃度を検知する濃度計２８ａ、透析液の温度を検知する温度センサー２８ｂが設けられており、所定の条件に設定して透析液を供給できるようになっている。透析液循環路１０の往路１０ａと復路１０ｂとの間はバイパス弁２９を備えたバイパス路３０で接続されており、通常時にはバイパス弁２９は閉じられているが、透析液循環路１０の洗浄時や血液透析要素２の交換時等に、必要に応じてバイパス弁２９を開としてバイパス路３０を開くことができるようになっている。
【００１２】
また、透析液循環路１０の復路１０ｂに設けられた循環ポンプ１１の運転により、とくにその上流側は陰圧となるが、この透析液圧を透析液圧センサー３１ａで検出できるようになっている。また、循環ポンプ１１のバイパス路には、リリーフ弁３１ｃを介して漏血センサー３１ｂが設けられており、血液透析要素２から透析液側に漏れた血液を光学的な方法（ダイオード、赤外線等）で検知し、異常時には血液ポンプ８を停止させ血液回路７を遮断するとともに警報等で知らせることができるようになっている。また、循環ポンプ１１の下流側には、気泡分離器３２が設けられており、透析液循環路１０からエア抜きできるようになっている。この気泡分離器３２のエア抜きライン３３も、大気放出弁３４を介して、前述の使用済透析液排出経路２１に合流されている。
【００１３】
さらに、透析液循環路１０の復路１０ｂには、陰圧開放弁３５を備えた分岐路３６が接続されており、分岐路３６の他端は使用済透析液排出経路２１に合流されている。必要に応じてこの陰圧開放弁３５を開くことにより、気泡分離器３２により追い出した気泡分、復路１０ｂ内が過陰圧となることを防ぐことができるよう、使用済透析液排出経路２１から透析液を補充できるようになっている。
【００１４】
なお、透析液供給経路１９には、フィルター３７、圧力スイッチ３８、減圧弁３９、遮断弁４０、脱気ポンプ４１、ヒーター４２、温度センサー４３、脱気槽４４が設けられており、これら機器によって適切な条件に整えられた透析液が待機中の透析液供給・受入要素１２ａまたは１２ｂの透析液供給室１３ａまたは１３ｂに供給されるようになっている。脱気槽４４からのエア抜きライン４５も前述の使用済透析液排出経路２１に合流されている。
【００１５】
このように構成された血液透析装置１においては、各種操作スイッチ類とともに、通常、各工程における状態を表示、監視するためのモニター装置が設けられている。モニター装置では、たとえば、現在の工程やその状態が分かるように必要な事項が表示されるようになっている。
【００１６】
【発明が解決しようとする課題】
病院等において血液透析を行う場合、必ず表示が要求される事項については、上記のようなモニター装置にそれらの事項が常時表示可能とされるが、その都度知りたい情報を表示させることや、設定等を変更したい場合等、上記のようなモニター装置は必ずしもこれら要求に沿った構成にはなっていない。とくに、医師や看護士、技士等の装置使用者によって知りたい情報や設定等を変更したい事項が異なるとき、あるいは、モニター装置に表示させようとする事項や表示させたい順序が異なるとき、従来のモニター装置は必ずしもこのような要求に沿った構成にはなっていない。このような要求が満たされれば、装置使用者にとって極めて便利であるばかりか、血液透析をより効率よく行うことが可能になる。
【００１７】
そこで本発明の課題は、上記のような要求を満たすべく、装置使用者に応じた操作が可能な、実際の使用に極めて便利な血液透析装置用表示・設定システムを提供することにある。
【００１８】
【課題を解決するための手段】
上記課題を解決するために、本発明に係る血液透析装置用表示・設定システムは、血液透析装置において表示が要求される情報または／および設定が要求される条件を表示・設定可能な画面を有し、該画面上に表示すべき情報または／および条件を、システム使用者ごとに選択的に設定することが可能に構成されていることを特徴とするものからなる。
【００１９】
画面上に表示すべき情報または／および条件は、たとえば、各フォルダに収納されており、画面上に表示すべきフォルダを、システム使用者ごとに、画面上にアイコン設定可能になっていることが好ましい。また、画面上に表示すべき情報または／および条件が各フォルダに収納されており、各フォルダにおける情報または／および条件がシステム使用者ごとに設定可能となっていることが好ましい。このような構成により、画面上に表示すべき情報や条件を、容易にシステム使用者ごとに選択することができ、かつ、設定や設定変更操作を行いたい場合にも、容易にシステム使用者ごとに操作することが可能になる。
【００２０】
また、画面上に表示されたフォルダの表示内容から、その表示内容の中の特定の項目へのショートカット表示が可能に構成されていることが好ましい。このようなショートカット機能を持たせれば、知りたい情報を効率よく迅速に知ることができるとともに、設定や設定変更操作も短時間で効率よく行うことができるようになる。
【００２１】
このようなシステム使用者ごとのシステム操作においては、システム使用者ごとに表示すべき必要な事項や表示順序等が異なってもよく、その使用者にとって最も便利で効率のよい方法に選択、設定できる。つまり、設定された表示方法は、個々のシステム使用者ごとの固有の方法として扱うことが可能になる。したがって、一旦設定された表示方法を変更する場合には、その表示方法を設定した特定のシステム使用者が関わる必要があるので、システム使用者ごとのパスワード入力により、設定変更が可能に構成されていることが好ましい。
【００２２】
また、本発明に係る血液透析装置用表示・設定システムにおける上記画面としては、たとえば、血液透析に関して実質的に常時表示を要求される情報を表示するメイン情報エリアと、必要に応じて表示が要求されるサブ情報エリアとを有する構成とすることができる。このうちメイン情報エリアについては、システム使用者に関わらず、必ず所定の情報を表示する構成とすることができ、サブ情報エリアについては、システム使用者ごとに選択的に設定することが可能なエリアに設定することができる。ただし、後述の実施態様に示すように、システム使用者ごとに選択された事項を画面に表示させる場合には、ウインドウ形式で画面上の適当な大きさの領域にわたって（たとえば、画面の半分程度の領域、あるいは画面全体にわたって）、表示できるようにすることが好ましい。
【００２３】
また、サブ情報エリア自体についても、画面上に表示される際、必要に応じて意図的に拡大表示可能に構成されていることが好ましい。
【００２４】
また、本発明に係る血液透析装置用表示・設定システムにおける上記画面は、表示のみならず、画面上で操作もできるようにしておくと便利である。たとえば、画面が、タッチパネルに構成されており、該タッチパネルの操作により（つまり、画面上で直接）、少なくとも、画面に表示すべき項目の設定、変更、および該表示項目の設定値の変更が可能に構成されていることが好ましい。
【００２５】
本発明に係る血液透析装置用表示・設定システムが適用される血液透析装置自体としてはとくに限定されないが、たとえば前述の図９に示したような血液透析装置を用いることができる。すなわち、血液透析装置として、血液流路と透析液流路との間に透析膜を有する血液透析要素と、実質的に閉回路からなり、前記血液透析要素の透析液流路に連通する透析液循環路と、該透析液循環路の前記透析液流路への透析液往路に接続された透析液供給室と透析液循環路の前記透析液流路からの透析液復路に接続された透析液受入室とを有する、透析液循環路に設けられた切替弁を介して交互に透析のために切り替え使用が可能な少なくとも２つの透析液供給・受入要素と、前記透析液循環路に設けられた循環ポンプと、各透析液供給・受入要素の各透析液供給室に接続され、切替弁を介して各透析液供給・受入要素の各透析液供給室に交互に未使用透析液を供給する透析液供給経路と、各透析液供給・受入要素の各透析液受入室に接続され、切替弁を介して各透析液供給・受入要素の各透析液受入室から交互に使用済透析液を排出する使用済透析液排出経路と、前記透析液循環路の前記透析液復路に接続され、該透析液復路から除水可能な除水ポンプを備えた除水経路とを有する血液透析装置からなるものである。
【００２６】
上記のような本発明に係る血液透析装置用表示・設定システムにおいては、システム使用者ごとに画面に表示すべき情報を設定でき、また、条件設定や条件変更に対してもそれを画面上で行うに際しシステム使用者ごとに画面に表示させることができる。したがって、装置使用者に応じてシステム操作方法を、最も便利で効率のよい方法に設定することができ、現場での実際の使用に極めて便利なシステムを実現できる。
【００２７】
【発明の実施の形態】
以下に、本発明の望ましい実施の形態について、図面を参照して説明する。
図１は、本発明の一実施態様に係る表示・設定システムを含む血液透析装置全体の外観を示している。血液透析装置自体の機器系統は、図９に示したものと実質的に同じである。図１に示す、表示・設定システムを含む血液透析装置５１においては、その正面に、前述のシリンジポンプ３、血液ポンプ８、気泡検知器５ａ、クランプ５ｂが設けられており、血液透析要素２への透析液循環路１０の往路１０ａへの接続口５２と血液透析要素２からの復路１０ｂへの接続口５３が配置されている。また、側面にはアーム５４が取り付けられており、このアーム５４に取り付けられたホルダ５５に、血液透析要素２（ダイアライザ）が交換可能に保持されるようになっている。頂面には、支柱５６が立設されており、この支柱５６に、現在動作中の工程を工程ごとに異なる色で表示可能な表示ランプ５７（ＬＥＤ等からなるパトロールランプ）と、生理食塩液等を架けるトップハンガ５８と鉗子等を架ける中間ハンガ５９が設けられている。そして、この装置５１に正面上部には、操作パネル６０が設けられており、この中に、血液透析装置における各工程の内容を表示したり、設定値を変更することが可能な画面６１が設けられている。画面６１は、本実施態様では液晶表示画面からなり、タッチパネルに構成されて、各種表示に加え、画面タッチにより各種入力、設定、設定変更、さらには特定の運転操作まで可能となっている。操作パネル６０の画面６１以外の領域には、装置運転に必要な各種スイッチ６２が配置されている。
【００２８】
上記画面６１は、本実施態様では、図２（Ａ）に示すように、血液透析に関して実質的に常時表示を要求される情報を表示するメイン情報エリア６３と、必要に応じて表示が要求されるサブ情報エリア６４とに区画されている。また、図２（Ｂ）に実際の表示例を示すように、メイン情報エリア６３およびその上部には、現在の工程の表示、警報や注意事項、年月日、除水経過時刻（たとえば、除水残時間）、目標除水量、除水速度、除水経過（たとえば、目標除水量に対して減算した量表示による経過）、静脈圧、透析液圧、ＴＭＰ、透析液の濃度や温度、シリンジ流量、血液流量等が表示され、表示される文字や数値の大きさが重要度に応じて相対的に大小に設定可能となっている。なお、上記ＴＭＰとは、血液透析要素２における膜間圧力差で、透析膜（たとえば、中空糸膜）２ｃの血液側と透析液側との圧力差を表しており、血液入口側圧力、血液出口側圧力、透析液入口側圧力、透析液出口側圧力から演算される。ＴＭＰは、血液透析要素２の性能の指標として用いられている。
【００２９】
画面６１はタッチパネルに構成されているので、上記表示値のうち、少なくとも目標除水量や除水速度、シリンジ流量、血液流量等は、それらの表示部をタッチし、設定画面を表示させることにより、それぞれの設定値を変更できるようになっている。また、後述の如く、サブ情報エリア６４から特定のフォルダを選んで画面上にウインドウ形式で開き、その中においても各種設定値を変更できるようになっている。
【００３０】
サブ情報エリア６４の下部には、タブエリア６５が設けられており、ここに、たとえば、メニュースイッチタブ６６、各種操作スイッチ類の一覧を表示させるスイッチタブ６７、この装置全体を操作する使用者ごとに設定値や表示の仕方を設定可能な使用者選択スイッチタブ６８が設けられている。メニュースイッチタブ６６にタッチすると、たとえば図３に示すように、予め設定されているフォルダ６９の一覧と選択されたフォルダ内のタブ７０とが表示され、その一覧の中から選択することにより、各種の設定や設定変更に必要な画面がウインドウ形式で表示できるようになっている。表示させた必要画面中での操作により、実際の各種設定や設定変更が可能である。また、設定範囲を外れて異常状態になったときに発する警報の種類や、特定の処理終了時に発するメロディ音の選択も可能になっている。
【００３１】
本実施態様では、図４に示すように、上記サブ情報エリア６４に、たとえば図３に示したような各種フォルダを選択してアイコン７１の形態で表示できるようになっている。この表示すべきアイコン７１については、システム使用者ごとに設定することができるようになっている。表示すべきアイコン７１は、メニュースイッチタブ６６からのフォルダ内から選択できるとともに、スイッチタブ６７からのフォルダ内からも選択でき、さらには使用者選択スイッチタブ６８からのフォルダ内からも選択できるようになっている。表示されたアイコンをタッチすることにより、該アイコンに対応するフォルダ内のメニュー（フォルダ内タブ７０）を、たとえば拡大された形態で表示できるようになっている。スイッチタブ６７からのフォルダ内から選択されたアイコンの場合には、そのアイコンに対応するフォルダ内メニューを開くことにより、操作条件、タイミングや設定値の変更等まで可能となっている。
【００３２】
メニュースイッチタブ６６からのアイコンとしては、たとえば図５に示すようなアイコンが予め入力されており、各アイコンと各フォルダおよびフォルダ内メニュー（フォルダ内タブ７０）はたとえば図５のように対応している。
【００３３】
サブ情報エリア６４へのアイコンの登録（表示）は、たとえば図６に示すように行われる。たとえば、メニュースイッチタブ６６にタッチしてメニュー中から初期設定画面を呼び出し、次いでサブ画面１にタッチしフォルダ登録にタッチしてフォルダ登録画面７２を表示させる。このフォルダ登録画面７２では、看護士や技士等の使用者に応じて、サブ情報エリア６４に表示すべきアイコンの登録、または解除を行うことができるようになっている。図６に示すように、看護士に設定フォルダを登録して、「設定」フォルダについて「登録」を選択すると、その看護士について、サブ情報エリア６４に「設定」のアイコン７１が表示（登録）される。このような操作を、システム使用者ごとに、フォルダごとに行うことにより、サブ情報エリア６４に表示したいアイコンが使用者ごとに登録され、その使用者は、自分で設定したアイコンの操作により、効率よく必要な表示、操作、設定等を行うことができるようになる。
【００３４】
また、本実施態様では、図７に示すように、初期設定画面においてサブ画面２にタッチし各フォルダ内に入力設定されている、より具体的な操作、設定、表示項目を表示させることができる。そして、この具体的な表示項目７３の中の特定の項目を選択し、それをショートカット用アイコン７４としてサブ情報エリア６４に登録（表示）することができるようになっている。図示例では、「設定」フォルダ中の「圧力設定」がショートカット用アイコン７４として登録されている。このショートカット用アイコン７４についても、使用者ごとに選択、設定が可能となっている。このようにショートカット用アイコン７４を登録設定しておくと、フォルダを開くまでの所定の操作手順を経ることなく、いきなり目的とするアイコンに対応する項目の内容をウインドウ形式で開いて表示させることが可能になるので、使用者にとって頻繁に開く必要がある項目等については、このようなショートカット機能は効率のよい操作を可能にするものであり、実際の使用においては極めて便利な機能となる。
【００３５】
このように、画面上で各種の条件表示や、運転条件設定やその設定変更のための表示や表示順序が、システム使用者ごとに選択的に設定可能となっているので、その設定変更は、設定者あるいはその設定者の許可を受けた者以外にはできないようにしておく必要がある。そのため、本実施態様では、パスワード機能が設けられており、図８に示すように、たとえば「初期設定」のフォルダ内において設定された条件等を変更する場合には、「パスワード入力」表示７５において、設定者のパスワードと一致するパスワードを入力しなければ、変更できないようになっている。これによって、使用者ごとに入力設定された画面表示方法が保証され、ひいては、その使用者がシステムや血液透析を操作する際の安全性、信頼性が保証される。
【００３６】
このように上記本実施態様に係る血液透析装置用表示・設定システムにおいては、画面に表示すべきそのときの状態に関する情報、運転条件や透析条件の設定のために画面に表示すべき項目等を、システム使用者ごとに選択的に設定、表示させることができるので、現場で実際の使用する際には、使用者にとって最も便利で効率のよい操作方法が使用者ごとに画面設定できることになる。
【００３７】
【発明の効果】
以上説明したように、本発明に係る血液透析装置用表示・設定システムによれば、使用者ごとに最も便利で効率のよい操作方法を画面に表示できるようになり、それによって迅速で効率のよい血液透析装置の操作が可能になる。
【図面の簡単な説明】
【図１】本発明の一実施態様に係るシステムを適用した血液透析装置の正面図である。
【図２】図１の装置の画面部の拡大正面図である。
【図３】図１の装置にフォルダ表示させた場合の画面の拡大正面図である。
【図４】図１の装置にアイコンを登録した場合の画面の拡大正面図である。
【図５】アイコンの種類の例を示す説明図である。
【図６】アイコン登録の例を示す図１の装置の画面の拡大正面図である。
【図７】ショートカット用アイコン登録の例を示す図１の装置の画面の拡大正面図である。
【図８】パスワード入力の例を示す図１の装置の画面の拡大正面図である。
【図９】本発明に係るシステムが適用可能な血液透析装置の一例を示す機器系統図である。
【符号の説明】
１  血液透析装置
２  血液透析要素
２ａ  血液流路
２ｂ  透析液流路
２ｃ  透析膜
３  シリンジポンプ
４ａ  動脈圧センサー
４ｂ  静脈圧センサー
５ａ  気泡検知器
５ｂ  クランプ
６  動脈
７  血液回路
８  血液ポンプ
９  静脈
１０  透析液循環路
１０ａ  透析液往路
１０ｂ  透析液復路
１１  循環ポンプ
１２ａ、１２ｂ  透析液供給・受入要素
１３ａ、１３ｂ  透析液供給室
１４ａ、１４ｂ  透析液受入室
１５ａ、１５ｂ  弾性膜
１６ａ、１６ｂ、１７ａ、１７ｂ、１８ａ、１８ｂ  切替弁
１９  透析液供給経路
２０ａ、２０ｂ  切替弁
２１  使用済透析液排出経路
２２  除水経路
２３  除水ポンプ
２４、２５  開閉弁
２６  流量調整弁
２７  流量計
２８ａ  濃度センサー
２８ｂ  温度センサー
２９  バイパス弁
３０  バイパス路
３１ａ  透析液圧センサー
３１ｂ  漏血センサー
３１ｃ  リリーフ弁
３２  気泡分離器
３３  エア抜きライン
３４  大気放出弁
３５  陰圧開放弁
３６  分岐路
３７  フィルター
３８  圧力スイッチ
３９  減圧弁
４０  遮断弁
４１  脱気ポンプ
４２  ヒーター
４３  温度センサー
４４  脱気槽
４５  エア抜きライン
５１  表示・設定システムを含む血液透析装置
５２  透析液循環路の往路への接続口
５３  透析液循環路の復路への接続口
５４  アーム
５５  血液透析要素保持用のホルダ
５６  支柱
５７  表示ランプ
５８  トップハンガ
５９  中間ハンガ
６０  操作パネル
６１  画面
６２  各種スイッチ
６３  メイン情報エリア
６４  サブ情報エリア
６５  タブエリア
６６  メニュースイッチタブ
６７  スイッチタブ
６８  使用者選択スイッチタブ
６９  フォルダ
７０  フォルダ内のタブ
７１  アイコン
７２  フォルダ登録画面
７３  フォルダ内の具体的な表示項目
７４  ショートカット用アイコン
７５  パスワード入力表示
【図１】
2004313370.tif 000003
【図２】
2004313370.tif 000004
【図３】
2004313370.tif 000005
【図４】
2004313370.tif 000006
【図５】
2004313370.tif 000007
【図６】
2004313370.tif 000008
【図７】
2004313370.tif 000009
【図８】
2004313370.tif 000010
【図９】
2004313370.tif 000011